(57)【要約】【課題】熱伝導性と軽量性を備えた熱伝導性シリコーン硬化物を与える熱伝導性シリコーン組成物及びその硬化物を提供する。【解決手段】（Ａ）１分子中に少なくとも２個のアルケニル基を有するオルガノポリシロキサン：１００質量部、（Ｂ）ケイ素原子に直接結合した水素原子を少なくとも２個有するオルガノハイドロジェンポリシロキサン：ケイ素原子に直接結合した水素原子のモル数が（Ａ）成分由来のアルケニル基のモル数の０．１〜５．０倍量となる量、（Ｃ）２５〜３５質量％の平均粒径０．１μｍ以上４０μｍ未満の水酸化アルミニウムと６５〜７５質量％の平均粒径４０μｍ以上１００μｍ以下の水酸化アルミニウムの混合物を５０質量％以上含有する熱伝導性充填材：２,８００〜４,０００質量部、（Ｄ）白金族金属系硬化触媒：（Ａ）成分に対して白金族金属元素の質量換算で０．１〜１，０００ｐｐｍを含有する熱伝導性シリコーン組成物。【選択図】なし【特許請求の範囲】
【請求項１】
熱伝導性シリコーン組成物であって、
（Ａ）成分として、１分子中に少なくとも２個のアルケニル基を有するオルガノポリシロキサン：１００質量部、
（Ｂ）成分として、ケイ素原子に直接結合した水素原子を少なくとも２個有するオルガノハイドロジェンポリシロキサン：ケイ素原子に直接結合した水素原子のモル数が（Ａ）成分由来のアルケニル基のモル数の０．１〜５．０倍量となる量、
（Ｃ）成分として、水酸化アルミニウムを５０質量％以上含有し、かつ、前記水酸化アルミニウムが、
（Ｃ−１）平均粒径０．１μｍ以上４０μｍ未満の水酸化アルミニウムの２５〜３５質量％、及び
（Ｃ−２）平均粒径４０μｍ以上１００μｍ以下の水酸化アルミニウムの６５〜７５質量％
で構成される混合物である熱伝導性充填材：２,８００〜４,０００質量部、
（Ｄ）成分として、白金族金属系硬化触媒：（Ａ）成分に対して白金族金属元素の質量換算で０．１〜１，０００ｐｐｍ
を含有するものであることを特徴とする熱伝導性シリコーン組成物。
【請求項２】
更に、（Ｅ）成分として、
（Ｅ−１）成分：下記一般式（１）
Ｒ１ａＲ２ｂＳｉ（ＯＲ３）４−ａ−ｂ                    （１）
（式中、Ｒ１は独立に炭素原子数６〜１５のアルキル基であり、Ｒ２は独立に非置換又は置換の炭素原子数１〜１０の１価炭化水素基であり、Ｒ３は独立に炭素原子数１〜６のアルキル基であり、ａは１〜３の整数、ｂは０〜２の整数であり、但しａ＋ｂは１〜３の整数である。）
で表されるアルコキシシラン化合物、及び
（Ｅ−２）成分：下記一般式（２）
【化１】
2020066713.tif 000013
（式中、Ｒ４は独立に炭素原子数１〜６のアルキル基であり、ｃは５〜１００の整数である。）
で表される分子鎖片末端がトリアルコキシシリル基で封鎖されたジメチルポリシロキサンのいずれか一方又は両方を（Ａ）成分１００質量部に対し１００〜３００質量部含有するものであることを特徴とする請求項１または請求項２に記載の熱伝導性シリコーン組成物。
【請求項３】
更に、（Ｆ）成分として：下記一般式（３）
【化２】
2020066713.tif 000014
（式中、Ｒ５は独立に炭素原子数１〜１０の脂肪族不飽和結合を含まない１価炭化水素基、ｄは５〜２，０００の整数である。）
で表される２５℃における動粘度が１０〜１００，０００ｍｍ２／ｓのオルガノポリシロキサンを含有するものであることを特徴とする請求項１から請求項３のいずれか１項に記載の熱伝導性シリコーン組成物。
【請求項４】
２５℃における絶対粘度が８００Ｐａ・ｓ以下のものであることを特徴とする請求項１から請求項４のいずれか１項に記載の熱伝導性シリコーン組成物。
【請求項５】
請求項１から請求項５のいずれか１項に記載の熱伝導性シリコーン組成物の硬化物であることを特徴とする熱伝導性シリコーン硬化物。
【発明の詳細な説明】
【技術分野】
【０００１】
本発明は、熱伝導性シリコーン組成物及びその硬化物に関する。
【背景技術】
【０００２】
パーソナルコンピューター、デジタルビデオディスク、携帯電話等の電子機器に使用されるＣＰＵ、ドライバＩＣやメモリー等のＬＳＩチップは、高性能化・高速化・小型化・高集積化に伴い、それ自身が大量の熱を発生するようになり、その熱によるチップの温度上昇はチップの動作不良、破壊を引き起こす。そのため、動作中のチップの温度上昇を抑制するための多くの熱放散方法及びそれに使用する熱放散部材が提案されている。
【０００３】
従来、電子機器等においては、動作中のチップの温度上昇を抑えるために、アルミニウムや銅等の熱伝導率の高い金属板を用いたヒートシンクが使用されている。このヒートシンクは、そのチップが発生する熱を伝導し、その熱を外気との温度差によって表面から放出する。
チップから発生する熱をヒートシンクに効率よく伝えるために、ヒートシンクをチップに密着させる必要があるが、各チップの高さの違いや組み付け加工による公差があるため、柔軟性を有するシートや、グリースをチップとヒートシンクとの間に介装させ、このシート又はグリースを介してチップからヒートシンクへの熱伝導を実現している。
シートはグリースに比べ、取り扱い性に優れており、熱伝導性シリコーンゴム等で形成された熱伝導シート（熱伝導性シリコーンゴムシート）は様々な分野に用いられている。
【０００４】
特許文献１には、シリコーンゴム等の合成ゴム１００質量部に酸化ベリリウム、酸化アルミニウム、水酸化アルミニウム、酸化マグネシウム、酸化亜鉛から選ばれる少なくとも１種以上の金属酸化物を１００〜８００質量部配合した絶縁性組成物が開示されている。
また、絶縁性を必要としない場所に用いられる放熱材料として、特許文献２には、付加硬化型シリコーンゴム組成物にシリカ及び銀、金、ケイ素等の熱伝導性粉末を６０〜５００質量部配合した組成物が開示されている。
【０００５】
しかし、これらの熱伝導性材料は、いずれも熱伝導率が低く、また、熱伝導性を向上させるために熱伝導性充填材を多量に高充填すると、液状シリコーンゴム組成物の場合は流動性が低下し、ミラブルタイプのシリコーンゴム組成物の場合は可塑度が増加して、いずれも成形加工性が非常に悪くなるという問題があった。
【０００６】
そこで、これを解決する方法として、特許文献３には、平均粒径５μｍ以下のアルミナ粒子１０〜３０質量％と、残部が単一粒子の平均粒径１０μｍ以上であり、かつカッティングエッジを有しない形状である球状コランダム粒子からなるアルミナを充填する高熱伝導性ゴム・プラスチック組成物が開示されている。また、特許文献４には、平均重合度６，０００〜１２，０００のガム状のオルガノポリシロキサンと平均重合度２００〜２，０００のオイル状のオルガノポリシロキサンを併用したベースと球状酸化アルミニウム粉末５００〜１，２００質量部からなる熱伝導性シリコーンゴム組成物が開示されている。
【０００７】
シリコーン組成物の熱伝導率を上げるためには、ポリマーに対して熱伝導性充填材をより高充填する方法が一般的である。しかしながら、熱伝導性充填材は、酸化アルミニウム（比重３．９）や、酸化亜鉛（比重５．６）に代表されるように、その比重がシリコーンポリマーと比較して大きいため、充填量を増やせば増やすほど組成物の比重が大きくなる傾向がある。
【０００８】
近年、リチウムイオンバッテリーが搭載される電気自動車はさらなる長距離走行を実現するために、車体全体の軽量化が課題となっている。また、人が直接身に着けるモバイル機器・ウェラブル機器においてもその重量は無視できない点となる。特許文献５では比重の小さな水酸化アルミニウム（比重２．４２）をシリコーンポリマーに充填した比重２．０のシリコーン組成物が開示されているが、熱伝導率が１．５Ｗ／ｍ・Ｋ程度と低く、昨今の大容量化したデバイスから発生する熱を冷却するためには能力の不足が否めない。
【先行技術文献】
【特許文献】
【０００９】
【特許文献１】特開昭４７−３２４００号公報
【特許文献２】特開昭５６−１００８４９号公報
【特許文献３】特開平１−６９６６１号公報
【特許文献４】特開平４−３２８１６３号公報
【特許文献５】特開２０１１−８９０７９号公報
【発明の概要】
【発明が解決しようとする課題】
【００１０】
本発明は、上記事情に鑑みなされたもので、熱伝導性と軽量性を備えた熱伝導性樹脂成形体（熱伝導性シリコーン硬化物）を与える熱伝導性シリコーン組成物及びその硬化物を提供することを目的とする。
【課題を解決するための手段】
【００１１】
上記課題を解決するために、本発明では、熱伝導性シリコーン組成物であって、（Ａ）成分として、１分子中に少なくとも２個のアルケニル基を有するオルガノポリシロキサン：１００質量部、（Ｂ）成分として、ケイ素原子に直接結合した水素原子を少なくとも２個有するオルガノハイドロジェンポリシロキサン：ケイ素原子に直接結合した水素原子のモル数が（Ａ）成分由来のアルケニル基のモル数の０．１〜５．０倍量となる量、（Ｃ）成分として、水酸化アルミニウムを５０質量％以上含有し、かつ、前記水酸化アルミニウムが、（Ｃ−１）平均粒径０．１μｍ以上４０μｍ未満の水酸化アルミニウムの２５〜３５質量％、及び（Ｃ−２）平均粒径４０μｍ以上１００μｍ以下の水酸化アルミニウムの６５〜７５質量％で構成される混合物である熱伝導性充填材：２,８００〜４,０００質量部、（Ｄ）成分として、白金族金属系硬化触媒：（Ａ）成分に対して白金族金属元素の質量換算で０．１〜１，０００ｐｐｍを含有するものであることを特徴とする熱伝導性シリコーン組成物を提供する。
【００１２】
このような熱伝導性シリコーン組成物であれば、熱伝導性と軽量性を備えた熱伝導性樹脂成形体（熱伝導性シリコーン硬化物）を与えることができる。
【００１３】
前記熱伝導性シリコーン組成物は、更に、（Ｅ）成分として、（Ｅ−１）下記一般式（１）で表されるアルコキシシラン化合物、及び（Ｅ−２）下記一般式（２）で表される分子鎖片末端がトリアルコキシシリル基で封鎖されたジメチルポリシロキサンのいずれか一方又は両方を（Ａ）成分１００質量部に対し１００〜３００質量部含有するものであることが好ましい。
Ｒ１ａＲ２ｂＳｉ（ＯＲ３）４−ａ−ｂ                    （１）
（式中、Ｒ１は独立に炭素原子数６〜１５のアルキル基であり、Ｒ２は独立に非置換又は置換の炭素原子数１〜１０の１価炭化水素基であり、Ｒ３は独立に炭素原子数１〜６のアルキル基であり、ａは１〜３の整数、ｂは０〜２の整数であり、但しａ＋ｂは１〜３の整数である。）
【化１】
2020066713.tif 000002
（式中、Ｒ４は独立に炭素原子数１〜６のアルキル基であり、ｃは５〜１００の整数である。）
【００１４】
このような熱伝導性シリコーン組成物であれば、より優れた熱伝導性と軽量性を備えた熱伝導性樹脂成形体（熱伝導性シリコーン硬化物）を与えることができる。
【００１５】
前記熱伝導性シリコーン組成物は、更に、（Ｆ）成分：下記一般式（３）で表される２５℃における動粘度が１０〜１００，０００ｍｍ２／ｓのオルガノポリシロキサンを含有するものであることが好ましい。
【化２】
2020066713.tif 000003
（式中、Ｒ５は独立に炭素原子数１〜１０の脂肪族不飽和結合を含まない１価炭化水素基、ｄは５〜２，０００の整数である。）
【００１６】
このような（Ｆ）成分であれば、上記熱伝導性シリコーン組成物に適度な粘度や可塑性等を付与することができる。
【００１７】
また、前記熱伝導性シリコーン組成物は、２５℃における絶対粘度が８００Ｐａ・ｓ以下のものであることが好ましい。
【００１８】
このような熱伝導性シリコーン組成物であれば、成形性に優れる。
【００１９】
また、本発明は、熱伝導性シリコーン組成物の硬化物である熱伝導性シリコーン硬化物を提供する。
【００２０】
このような熱伝導性シリコーン硬化物であれば、熱伝導性と軽量性に優れる。
【発明の効果】
【００２１】
以上のように、本発明の熱伝導性シリコーン組成物であれば、特定のオルガノポリシロキサン、ハイドロジェンポリシロキサン、熱伝導性充填材を含むシリコーン組成物の配合を巧みに調整して、前記熱伝導性充填材を基材に高充填することで、熱伝導率２．８Ｗ／ｍ・Ｋ以上かつ比重２．４以下の高い熱伝導性と軽量性を備えた熱伝導性シリコーン硬化物を与える熱伝導性シリコーン組成物を提供することができる。このような熱伝導性シリコーン硬化物は、特に熱伝導による電子部品の冷却のために、発熱性電子部品の熱境界面とヒートシンク又は回路基板などの放熱部材との界面に介在させる熱伝達材料として有用である。
【発明を実施するための形態】
【００２２】
上述のように、高い熱伝導性と軽量性を備えた熱伝導性シリコーン硬化物（熱伝導性樹脂成形体）及び該硬化物を与える熱伝導性シリコーン組成物の開発が求められていた。
【００２３】
本発明者らは、上記目的を達成するため鋭意検討を行った結果、特定のオルガノポリシロキサン、ハイドロジェンポリシロキサン、熱伝導性充填材を含むシリコーン組成物の配合を巧みに調整して、前記熱伝導性充填材を基材に高充填することで熱伝導率２．８Ｗ／ｍＫ以上かつ比重２．４以下の高い熱伝導性と軽量性を備えた熱伝導性シリコーン硬化物を得ることができることを見出し、本発明を完成させた。
【００２４】
即ち、本発明は、熱伝導性シリコーン組成物であって、
（Ａ）成分として、１分子中に少なくとも２個のアルケニル基を有するオルガノポリシロキサン：１００質量部、
（Ｂ）成分として、ケイ素原子に直接結合した水素原子を少なくとも２個有するオルガノハイドロジェンポリシロキサン：ケイ素原子に直接結合した水素原子のモル数が（Ａ）成分由来のアルケニル基のモル数の０．１〜５．０倍量となる量、
（Ｃ）成分として、水酸化アルミニウムを５０質量％以上含有し、かつ、前記水酸化アルミニウムが、
（Ｃ−１）平均粒径０．１μｍ以上４０μｍ未満の水酸化アルミニウムの２５〜３５質量％、及び
（Ｃ−２）平均粒径４０μｍ以上１００μｍ以下の水酸化アルミニウムの６５〜７５質量％
で構成される混合物である熱伝導性充填材：２,８００〜４,０００質量部、
（Ｄ）成分として、白金族金属系硬化触媒：（Ａ）成分に対して白金族金属元素の質量換算で０．１〜１，０００ｐｐｍ
を含有するものであることを特徴とする熱伝導性シリコーン組成物。
である。
【００２５】
以下、本発明について詳細に説明するが、本発明はこれらに限定されるものではない。
【００２６】
本発明の熱伝導性シリコーン組成物は、
（Ａ）成分としての１分子中に少なくとも２個のアルケニル基を有するオルガノポリシロキサン、
（Ｂ）成分としてのケイ素原子に直接結合した水素原子を少なくとも２個有するオルガノハイドロジェンポリシロキサン、
（Ｃ）成分としての水酸化アルミニウムを５０質量％以上含有し、かつ、前記水酸化アルミニウムが、平均粒径０．１μｍ以上４０μｍ未満の水酸化アルミニウムの２５〜３５質量％、及び平均粒径４０μｍ以上１００μｍ以下の水酸化アルミニウムの６５〜７５質量％で構成される混合物である熱伝導性充填材、
（Ｄ）成分としての白金族金属系硬化触媒
を必須成分として含有する。以下、上記成分について説明する。
【００２７】
［（Ａ）成分：アルケニル基含有オルガノポリシロキサン］
（Ａ）成分であるアルケニル基含有オルガノポリシロキサンは、ケイ素原子に結合したアルケニル基を１分子中に少なくとも２個有するオルガノポリシロキサンであり、本発明の組成物の主剤となるものである。通常は主鎖部分が基本的にジオルガノシロキサン単位の繰り返しからなるのが一般的であるが、これは分子構造の一部に分枝状の構造を含んだものであってもよく、また環状体であってもよいが、硬化物の機械的強度等、物性の点から直鎖状のジオルガノポリシロキサンが好ましい。
【００２８】
ケイ素原子に結合するアルケニル基以外の官能基としては、非置換又は置換の１価炭化水素基であり、例えば、メチル基、エチル基、プロピル基、イソプロピル基、ブチル基、イソブチル基、ｔｅｒｔ−ブチル基、ペンチル基、ネオペンチル基、ヘキシル基、ヘプチル基、オクチル基、ノニル基、デシル基、ドデシル基などのアルキル基、シクロペンチル基、シクロヘキシル基、シクロヘプチル基等のシクロアルキル基、フェニル基、トリル基、キシリル基、ナフチル基、ビフェニリル基等のアリール基、ベンジル基、フェニルエチル基、フェニルプロピル基、メチルベンジル基等のアラルキル基、並びにこれらの基の炭素原子が結合している水素原子の一部又は全部が、フッ素、塩素、臭素等のハロゲン原子、シアノ基などで置換された基、例えば、クロロメチル基、２−ブロモエチル基、３−クロロプロピル基、３，３，３−トリフルオロプロピル基、クロロフェニル基、フルオロフェニル基、シアノエチル基、３，３，４，４，５，５，６，６，６−ノナフルオロヘキシル基等が挙げられ、代表的なものは炭素原子数が１〜１０、特に代表的なものは炭素原子数が１〜６のものであり、好ましくはメチル基、エチル基、プロピル基、クロロメチル基、ブロモエチル基、３，３，３−トリフルオロプロピル基、シアノエチル基等の炭素原子数１〜３の非置換又は置換のアルキル基及びフェニル基、クロロフェニル基、フルオロフェニル基等の非置換又は置換のフェニル基である。また、ケイ素原子に結合したアルケニル基以外の官能基は全てが同一であることに限定されない。
【００２９】
また、アルケニル基としては、例えば、ビニル基、アリル基、プロペニル基、イソプロペニル基、ブテニル基、ヘキセニル基、シクロヘキセニル基等の通常炭素原子数２〜８程度のものが挙げられ、中でもビニル基、アリル基等の低級アルケニル基が好ましく、特に好ましくはビニル基である。なお、アルケニル基は、１分子中に２個以上存在することが必要であるが、得られる硬化物の柔軟性がよいものとするため、分子鎖末端のケイ素原子にのみ結合して存在することが好ましい。
【００３０】
このオルガノポリシロキサンの２５℃における動粘度は、好ましくは１０〜１００，０００ｍｍ２／ｓ、特に好ましくは５００〜５０，０００ｍｍ２／ｓの範囲である。１０ｍｍ２／ｓ以上であれば、得られる組成物の保存安定性が良くなり、また１００，０００ｍｍ２／ｓ以下であれば、得られる組成物の伸展性が良くなる。なお、動粘度はオストワルド粘度計を用いて測定した場合の値である。
【００３１】
この（Ａ）成分のオルガノポリシロキサンは、１種単独でも、粘度等が異なる２種以上を組み合わせて用いてもよい。
【００３２】
［（Ｂ）成分：オルガノハイドロジェンポリシロキサン］
（Ｂ）成分のオルガノハイドロジェンポリシロキサンは、１分子中に少なくとも２個、好ましくは２〜１００個のケイ素原子に直接結合した水素原子（Ｓｉ−Ｈ基）を有するオルガノハイドロジェンポリシロキサンであり、（Ａ）成分の架橋剤として作用する成分である。即ち、（Ｂ）成分中のＳｉ−Ｈ基が（Ａ）成分中のアルケニル基に、後述の（Ｄ）成分の白金族金属系硬化触媒により促進されるヒドロシリル化反応により付加して、架橋構造を有する３次元網目構造を与える。なお、（Ｂ）成分中のＳｉ−Ｈ基の数が２個未満の場合、硬化しない。
【００３３】
オルガノハイドロジェンポリシロキサンとしては、下記平均構造式（４）で示されるものが用いられるが、これに限定されるものではない。
【化３】
2020066713.tif 000004
（式中、Ｒ’は独立に脂肪族不飽和結合を含有しない非置換又は置換の１価炭化水素基あるいは水素原子であるが、少なくとも２個は水素原子であり、ｅは１以上の整数である。）
【００３４】
式（４）中、Ｒ’の水素以外の脂肪族不飽和結合を含有しない非置換又は置換の１価炭化水素基としては、例えばメチル基、エチル基、プロピル基、イソプロピル基、ブチル基、イソブチル基、ｔｅｒｔ−ブチル基、ペンチル基、ネオペンチル基、ヘキシル基、ヘプチル基、オクチル基、ノニル基、デシル基、ドデシル基などのアルキル基、シクロペンチル基、シクロヘキシル基、シクロヘプチル基等のシクロアルキル基、フェニル基、トリル基、キシリル基、ナフチル基、ビフェニリル基等のアリール基、ベンジル基、フェニルエチル基、フェニルプロピル基、メチルベンジル基等のアラルキル基、並びにこれらの基に炭素原子が結合している水素原子の一部又は全部が、フッ素、塩素、臭素等のハロゲン原子、シアノ基などで置換された基、例えば、クロロメチル基、２−ブロモエチル基、３−クロロプロピル基、３，３，３−トリフルオロプロピル基、クロロフェニル基、フルオロフェニル基、シアノエチル基、３，３，４，４，５，５，６，６，６−ノナフルオロヘキシル基等が挙げられ、代表的なものは炭素原子数が１〜１０、特に代表的なものは炭素原子数が１〜６のものであり、好ましくはメチル基、エチル基、プロピル基、クロロメチル基、ブロモエチル基、３，３，３−トリフルオロプロピル基、シアノエチル基等の炭素原子数１〜３の非置換又は置換のアルキル基及びフェニル基、クロロフェニル基、フルオロフェニル基等の非置換又は置換のフェニル基である。また、Ｒ’は全てが同一であることに限定されない。
【００３５】
（Ｂ）成分の添加量は、（Ｂ）成分由来のＳｉ−Ｈ基が（Ａ）成分由来のアルケニル基１モルに対して０．１〜５．０モルとなる量（すなわち、ケイ素原子に直接結合した水素原子のモル数が（Ａ）成分由来のアルケニル基のモル数の０．１〜５．０倍量となる量）、好ましくは０．３〜２．０モル、更に好ましくは０．５〜１．０モルとなる量である。（Ｂ）成分由来のＳｉ−Ｈ基の量が（Ａ）成分由来のアルケニル基１モルに対して０．１モル未満であると硬化しない、又は硬化物の強度が不十分で成形体としての形状を保持できず取り扱えない場合がある。また５．０モルを超えると硬化物の柔軟性がなくなり、硬化物が脆くなるおそれがある。
【００３６】
［（Ｃ）成分：熱伝導性充填材］
（Ｃ）成分である熱伝導性充填材は、水酸化アルミニウム又は水酸化アルミニウムと他の熱伝導性充填材から構成される。この場合、水酸化アルミニウムは、軽量化の観点から熱伝導性充填材総量の５０質量％以上含有することが必要であり、好ましくは７５質量％以上、更に好ましくは８０質量％以上であり、１００質量％が最も好適である。５０質量％未満だと、比重が２．４（水酸化アルミニウムの比重と同程度）を超えてしまい軽量性が損なわれる。
【００３７】
水酸化アルミニウムは、安価で比重が２．４２とアルミナに比べてかなり小さく、シリコーン組成物の熱伝導性充填材の沈降を抑えられ、また機器の軽量化にも貢献し、更にモース硬度が３でアルミナに比べて非常に軟らかく、反応釜や撹拌羽根の磨耗が抑えられ、難燃効果、絶縁効果のある熱伝導性充填材として有用である。しかしながら、水酸化アルミニウムはアルミナに比べて熱伝導率が低いので、水酸化アルミニウムを用いてシリコーン熱伝導性組成物及び硬化物の熱伝導率を上げるためには水酸化アルミニウムを高充填しなればならないのにも拘わらず、高充填が非常に難しい。それ故に、これまで熱伝導性充填材の総質量部の５０質量％以上が水酸化アルミニウムで占められている熱伝導性シリコーン硬化物で熱伝導率２．６Ｗ／ｍ・Ｋ以上を達成するのは困難とされてきた。本発明は、特定のオルガノポリシロキサン、ハイドロジェンポリシロキサン、熱伝導性充填材を含むシリコーン組成物の配合を巧みに調整して、前記熱伝導性充填材を基材に高充填することで上記従来技術の問題点を克服し、高い熱伝導性と軽量性を備えた熱伝導性シリコーン硬化物を与える熱伝導性シリコーン組成物を提供するものである。
【００３８】
また、（Ｃ）成分に含まれる５０質量％以上が水酸化アルミニウムで構成され、かつ、前記水酸化アルミニウムが、
（Ｃ−１）平均粒径０．１μｍ以上４０μｍ未満の水酸化アルミニウム：２５〜３５質量％、及び
（Ｃ−２）平均粒径４０μｍ以上１００μｍ以下の水酸化アルミニウム：６５〜７５質量％
で構成される混合物であることが必要である。このように粒径の異なる水酸化アルミニウムを主成分とする粒子を巧みに組み合わせること、すなわち、平均粒径０．１μｍ以上４０μｍ未満の小粒径粒子と４０μｍ以上１００μｍ以下の大粒径粒子の配合比率を巧みに組み合わせることで、大粒径粒子同士の隙間を小粒径粒子が補填する形で基材に高充填することが可能となる。一方、上記（Ｃ−１）及び（Ｃ−２）成分の水酸化アルミニウムの平均粒径が上記範囲外であったり、（Ｃ−１）及び（Ｃ−２）成分の構成割合が上記範囲外であると、熱伝導率２．８Ｗ／ｍ・Ｋ以上かつ比重２．４以下の高い熱伝導性と軽量性を備えた熱伝導性シリコーン硬化物を与える熱伝導性シリコーン組成物を調製することができない。
なお、上記平均粒径は、日機装（株）製の粒度分析計であるマイクロトラックＭＴ３３００ＥＸにより測定した体積基準の累積平均粒径（メディアン径）の値である。
【００３９】
（Ｃ−１）成分の小粒径水酸化アルミニウム（フィラー）は、（Ｃ−２）成分の大粒径水酸化アルミニウムと組み合わせることで、組成物の熱伝導率及び流動性を向上させ、またフィラーの沈降を防ぐ。平均粒径は０．１μｍ以上４０μｍ未満であり、１〜３０μｍであることが好ましい。平均粒径が上記範囲外であると、（Ｃ−２）成分と組み合わせることによる組成物の熱伝導率及び流動性の向上と、フィラーの沈降防止の効果が得られない。（Ｃ−１）成分の水酸化アルミニウムとしては１種又は２種以上を複合して用いてもよい。
（Ｃ−１）成分の配合量は、（Ｃ）成分に含まれる水酸化アルミニウムの２５〜３５質量％であり、好ましくは２７〜３３質量％である。質量割合が上記範囲外であると、（Ｃ−２）成分と組み合わせることによる組成物の熱伝導率及び流動性の向上と、フィラーの沈降防止の効果が得られない。
【００４０】
（Ｃ−２）成分の大粒径水酸化アルミニウム（フィラー）は、熱伝導率を優位に向上させることができる。大粒径水酸化アルミニウムの平均粒径は４０μｍ以上１００μｍ以下であり、４５〜９０μｍであることが好ましい。平均粒径が上記範囲外であると、熱伝導性を向上させる効果が低くなり、また、組成物粘度が上昇したり、加工性が悪くなったりする。（Ｃ−２）成分の水酸化アルミニウムとしては１種又は２種以上を複合して用いてもよい。
（Ｃ−２）成分の配合量は、（Ｃ）成分に含まれる水酸化アルミニウムの６５〜７５質量％であり、好ましくは６７〜７３質量％である。質量割合が上記範囲外であると、熱伝導性を向上させる効果が低くなり、また、組成物粘度が上昇したり、加工性が悪くなったりする。
【００４１】
このように、平均粒径が０．１μｍ以上４０μｍ未満の水酸化アルミニウム（Ｃ−１）と、平均粒径が４０μｍ以上１００μｍ以下の水酸化アルミニウム（Ｃ−２）とを上記特定割合で配合した水酸化アルミニウムを５０質量％以上含有する（Ｃ）成分を用いることで、上記した本発明の効果が確実に発揮される。
【００４２】
前記他の熱伝導性充填材としては、特に限定されないが、例えば、非磁性の銅やアルミニウム等の金属、アルミナ、シリカ、マグネシア、ベンガラ、ベリリア、チタニア、ジルコニア等の金属酸化物、窒化アルミニウム、窒化ケイ素、窒化硼素等の金属窒化物、水酸化マグネシウム等の金属水酸化物、人工ダイヤモンドあるいは炭化ケイ素等の一般に熱伝導性充填材とされる物質を用いることができる。また、粒径は０．１〜２００μｍを用いることができ、１種又は２種以上を複合して用いてもよい。
【００４３】
（Ｃ）成分の配合量（水酸化アルミニウム又は水酸化アルミニウムと他の熱伝導性充填材の合計配合量）は、（Ａ）成分１００質量部に対して２，８００〜４，０００質量部であることが必要であり、好ましくは３，０００〜３，５００質量部である。この配合量が２，８００質量部未満の場合には、得られる組成物の熱伝導率が悪く４，０００質量部を超える場合には、混練作業性が悪化し、さらに硬化物が著しく脆くなる。
【００４４】
［（Ｄ）成分：白金族金属系硬化触媒］
（Ｄ）成分の白金族金属系硬化触媒は、（Ａ）成分由来のアルケニル基と、（Ｂ）成分由来のＳｉ−Ｈ基の付加反応を促進するための触媒であれば特に限定されないが、ヒドロシリル化反応に用いられる触媒として周知の触媒が挙げられる。その具体例としては、例えば、白金（白金黒を含む）、ロジウム、パラジウム等の白金族金属単体、Ｈ２ＰｔＣｌ４・ｎＨ２Ｏ、Ｈ２ＰｔＣｌ６・ｎＨ２Ｏ、ＮａＨＰｔＣｌ６・ｎＨ２Ｏ、ＫＨＰｔＣｌ６・ｎＨ２Ｏ、Ｎａ２ＰｔＣｌ６・ｎＨ２Ｏ、Ｋ２ＰｔＣｌ４・ｎＨ２Ｏ、ＰｔＣｌ４・ｎＨ２Ｏ、ＰｔＣｌ２、Ｎａ２ＨＰｔＣｌ４・ｎＨ２Ｏ（但し、式中、ｎは０〜６の整数であり、好ましくは０又は６である。）等の塩化白金、塩化白金酸及び塩化白金酸塩、アルコール変性塩化白金酸（米国特許第３，２２０，９７２号明細書参照）、塩化白金酸とオレフィンとのコンプレックス（米国特許第３，１５９，６０１号明細書、同第３，１５９，６６２号明細書、同第３，７７５，４５２号明細書参照）、白金黒、パラジウム等の白金族金属をアルミナ、シリカ、カーボン等の担体に担持させたもの、ロジウム−オレフィンコンプレックス、クロロトリス（トリフェニルフォスフィン）ロジウム（ウィルキンソン触媒）、塩化白金、塩化白金酸又は塩化白金酸塩とビニル基含有シロキサン、特にビニル基含有環状シロキサンとのコンプレックスなどが挙げられる。
【００４５】
（Ｄ）成分の使用量は、（Ａ）成分に対する白金族金属元素の質量換算で０．１〜１，０００ｐｐｍである。０．１ｐｐｍ未満では十分な触媒活性が得られず、１，０００ｐｐｍを超えても付加反応を促進する効果は向上せず、コストアップになるうえ、硬化物に触媒が残留するため絶縁性が低下するおそれがある。
【００４６】
［（Ｅ）成分：表面処理剤］
本発明の組成物には、組成物調製時に（Ｃ）成分である熱伝導性充填材を疎水化処理し、（Ａ）成分であるオルガノポリシロキサンとの濡れ性を向上させ、（Ｃ）成分である熱伝導性充填材を（Ａ）成分からなるマトリックス中に均一に分散させることを目的として、（Ｅ）成分の表面処理剤を配合することができる。該（Ｅ）成分としては、特に下記に示す（Ｅ−１）成分及び（Ｅ−２）成分が好ましい。
【００４７】
（Ｅ−１）成分：下記一般式（１）
Ｒ１ａＲ２ｂＳｉ（ＯＲ３）４−ａ−ｂ                    （１）
（式中、Ｒ１は独立に炭素原子数６〜１５のアルキル基であり、Ｒ２は独立に非置換又は置換の炭素原子数１〜１０の１価炭化水素基であり、Ｒ3は独立に炭素原子数１〜６のアルキル基であり、ａは１〜３の整数、ｂは０〜２の整数であり、但しａ＋ｂは１〜３の整数である。）
で表されるアルコキシシラン化合物である。
【００４８】
上記一般式（１）において、Ｒ１で表されるアルキル基としては、例えば、ヘキシル基、オクチル基、ノニル基、デシル基、ドデシル基、テトラデシル基等が挙げられる。このＲ１で表されるアルキル基の炭素原子数が６〜１５の範囲を満たすと（Ａ）成分の濡れ性が十分に向上し、取り扱い性がよく、組成物の低温特性が良好なものとなる。
Ｒ２で表される非置換又は置換の１価炭化水素基としては、例えば、メチル基、エチル基、プロピル基、イソプロピル基、ブチル基、イソブチル基、ｔｅｒｔ−ブチル基、ペンチル基、ネオペンチル基、ヘキシル基、ヘプチル基、オクチル基、ノニル基、デシル基、ドデシル基などのアルキル基、シクロペンチル基、シクロヘキシル基、シクロヘプチル基等のシクロアルキル基、フェニル基、トリル基、キシリル基、ナフチル基、ビフェニリル基等のアリール基、ベンジル基、フェニルエチル基、フェニルプロピル基、メチルベンジル基等のアラルキル基、並びにこれらの基に炭素原子が結合している水素原子の一部又は全部が、フッ素、塩素、臭素等のハロゲン原子、シアノ基などで置換された基、例えば、クロロメチル基、２−ブロモエチル基、３−クロロプロピル基、３，３，３−トリフルオロプロピル基、クロロフェニル基、フルオロフェニル基、シアノエチル基、３，３，４，４，５，５，６，６，６−ノナフルオロヘキシル基等が挙げられ、代表的なものは炭素原子数が１〜１０、特に代表的なものは炭素原子数が１〜６のものであり、好ましくはメチル基、エチル基、プロピル基、クロロメチル基、ブロモエチル基、３，３，３−トリフルオロプロピル基、シアノエチル基等の炭素原子数１〜３の非置換又は置換のアルキル基及びフェニル基、クロロフェニル基、フルオロフェニル基等の非置換又は置換のフェニル基が挙げられる。Ｒ３としては、メチル基、エチル基、プロピル基、ブチル基、ヘキシル基等が挙げられる。また、ａは１〜３の整数、ｂは０〜２の整数であり、但しａ＋ｂは１〜３の整数であれば特に限定されないが、ａが１、ｂが０であることが好ましい。
【００４９】
（Ｅ−２）成分：下記一般式（２）
【化４】
2020066713.tif 000005
（式中、Ｒ４は独立に炭素原子数１〜６のアルキル基であり、ｃは５〜１００、好ましくは５〜７０、特に１０〜５０の整数である。）
で表される分子鎖片末端がトリアルコキシシリル基で封鎖されたジメチルポリシロキサンである。
上記一般式（２）において、Ｒ4で表されるアルキル基は、上記一般式（１）中のＲ３で表されるアルキル基と同種のものである。
【００５０】
（Ｅ）成分の表面処理剤として、（Ｅ−１）成分と（Ｅ−２）成分のいずれか一方でも両者を組み合わせて配合してもよい。この場合、（Ｅ）成分としては、（Ａ）成分１００質量部に対して１００〜３００質量部が好ましく、特に１５０〜２５０質量部であることが好ましい。本成分が１００質量部以上であれば、熱伝導性充填材を基材に十分に充填することが容易になり、３００質量部以下であれば、オイル分離を誘発することはない。
【００５１】
［（Ｆ）成分：特性付与剤］
（Ｆ）成分として、下記一般式（３）
【化５】
2020066713.tif 000006
（式中、Ｒ５は独立に炭素原子数１〜１０の脂肪族不飽和結合を含まない１価炭化水素基、ｄは５〜２，０００の整数である。）
で表される２５℃における動粘度が１０〜１００，０００ｍｍ２／ｓのオルガノポリシロキサンを添加することができる。（Ｆ）成分は、熱伝導性シリコーン組成物の粘度調整剤や可塑剤等の特性付与を目的として適宜用いられるものであるが、これらに限定されるものではない。これらは、１種単独で用いても、２種以上を併用してもよい。
【００５２】
上記Ｒ５は独立に非置換又は置換の炭素原子数１〜１０の１価炭化水素基である。Ｒ５としては、例えば、メチル基、エチル基、プロピル基、イソプロピル基、ブチル基、イソブチル基、ｔｅｒｔ−ブチル基、ペンチル基、ネオペンチル基、ヘキシル基、ヘプチル基、オクチル基、ノニル基、デシル基、ドデシル基などのアルキル基、シクロペンチル基、シクロヘキシル基、シクロヘプチル基等のシクロアルキル基、フェニル基、トリル基、キシリル基、ナフチル基、ビフェニリル基等のアリール基、ベンジル基、フェニルエチル基、フェニルプロピル基、メチルベンジル基等のアラルキル基、並びにこれらの基に炭素原子が結合している水素原子の一部又は全部が、フッ素、塩素、臭素等のハロゲン原子、シアノ基などで置換された基、例えば、クロロメチル基、２−ブロモエチル基、３−クロロプロピル基、３，３，３−トリフルオロプロピル基、クロロフェニル基、フルオロフェニル基、シアノエチル基、３，３，４，４，５，５，６，６，６−ノナフルオロヘキシル基等が挙げられ、代表的なものは炭素原子数が１〜１０、特に代表的なものは炭素原子数が１〜６のものであり、好ましくはメチル基、エチル基、プロピル基、クロロメチル基、ブロモエチル基、３，３，３−トリフルオロプロピル基、シアノエチル基等の炭素原子数１〜３の非置換又は置換のアルキル基及びフェニル基、クロロフェニル基、フルオロフェニル基等の非置換又は置換のフェニル基が挙げられるが、特にメチル基、フェニル基が好ましい。
上記ｄは要求される粘度の観点から、好ましくは５〜２，０００の整数で、特に好ましくは１０〜１，０００の整数である。
【００５３】
また、２５℃における動粘度は、好ましくは１０〜１００，０００ｍｍ２／ｓであり、特に１００〜１０，０００ｍｍ２／ｓであることが好ましい。動粘度が１０ｍｍ2／ｓ以上であれば、得られる組成物の硬化物がオイルブリードを発生し難くなる。動粘度が１００，０００ｍｍ2／ｓ以下であれば、得られる熱伝導性シリコーン組成物の柔軟性が好適なものとなる。
【００５４】
（Ｆ）成分を本発明の熱伝導性シリコーン組成物に添加するときは、その添加量は特に限定されないが、（Ａ）成分１００質量部に対して、好ましくは０．１〜１００質量部である。該添加量がこの範囲にあると、硬化前の熱伝導性シリコーン組成物に良好な流動性、作業性を維持し易く、また（Ｃ）成分の熱伝導性充填材を該組成物に充填するのが容易である。
【００５５】
［（Ｇ）成分：反応制御剤］
（Ｇ）成分として付加反応制御剤を使用することができる。付加反応制御剤は、通常の付加反応硬化型シリコーン組成物に用いられる公知の付加反応制御剤を全て用いることができる。例えば、１−エチニル−１−ヘキサノール、３−ブチン−１−オールなどのアセチレン化合物や各種窒素化合物、有機リン化合物、オキシム化合物、有機クロロ化合物等が挙げられる。（Ｇ）成分を配合する場合の使用量としては、（Ａ）成分１００質量部に対して０．０１〜１質量部が好ましく、０．１〜０．８質量部がより好ましい。このような配合量であれば、十分に硬化反応が進み、成形効率が損なわれることがない。
【００５６】
［その他の成分］
本発明の熱伝導性シリコーン組成物には、必要に応じて、更に他の成分を配合してもよい。例えば、酸化鉄、酸化セリウム等の耐熱性向上剤；シリカ等の粘度調整剤；着色剤；離型剤等の任意成分を配合することができる。
【００５７】
［組成物の粘度］
熱伝導性シリコーン組成物の絶対粘度（以下、単に「粘度」ということもある。）は、２５℃において８００Ｐａ・ｓ以下が好ましく、より好ましくは４００Ｐａ・ｓ以下、更に好ましくは２００Ｐａ・ｓ以下である。なお、この粘度はＢ型粘度計による測定に基づく。
【００５８】
［熱伝導性シリコーン硬化物及びその製造方法］
本発明の熱伝導性シリコーン硬化物（熱伝導性樹脂成形体）は、上記熱伝導性シリコーン組成物の硬化物である。熱伝導性シリコーン組成物を硬化（成形）する硬化条件としては、公知の付加反応硬化型シリコーンゴム組成物と同様でよく、例えば、常温でも十分硬化するが、必要に応じて加熱してもよい。好ましくは１００〜１２０℃で８〜１２分で付加硬化させるのがよい。このような本発明の硬化物（成形体）は熱伝導性に優れる。
【００５９】
［成形体の熱伝導率］
本発明における成形体の熱伝導率は、ホットディスク法により測定した２５℃における測定値が２．８Ｗ／ｍ・Ｋ以上であることが好ましい。熱伝導率が２．８Ｗ／ｍ・Ｋ以上であると、発熱量の大きい発熱体への適用が可能となる。なお、このような熱伝導率は、熱伝導性充填材の種類や粒径の組み合わせを調整することにより、調整することができる。
【００６０】
［成形体の硬度］
本発明における成形体の硬度は、アスカーＣ硬度計で測定した２５℃における測定値で６０以下が好ましく、より好ましくは３０以下、更に好ましくは２０以下、特に１０以下であることが好ましい。硬度が６０以下であれば、被放熱体の形状に沿うように変形し、被放熱体に応力をかけることなく良好な放熱特性を示すことが容易になる。なお、このような硬度は、（Ａ）成分と（Ｂ）成分の比率を変えて、架橋密度を調整することにより、調整することができる。
【実施例】
【００６１】
以下、実施例及び比較例を示し、本発明を具体的に説明するが、本発明は下記の実施例に制限されるものではない。なお、動粘度は２５℃においてオストワルド粘度計により測定した。また、平均粒径は日機装（株）製の粒度分析計であるマイクロトラックＭＴ３３００ＥＸにより測定した体積基準の累積平均粒径（メディアン径）の値である。得られた熱伝導性シリコーン組成物の２５℃における絶対粘度は、Ｂ型粘度計により測定した。
【００６２】
［組成物の調製］
下記実施例及び比較例に用いられている（Ａ）〜（Ｇ）成分を下記に示す。
（Ａ）成分：
下記式（５）で示されるオルガノポリシロキサン
【化６】
2020066713.tif 000007
（Ｘはビニル基であり、ｎは下記粘度を与える数である。）
動粘度：６００ｍｍ２／ｓ
【００６３】
（Ｂ）成分：
下記式（６）で示される両末端が水素で封鎖されたハイドロジェンポリシロキサン。
【化７】
2020066713.tif 000008
（平均重合度：ｏ＝２８、ｐ＝２）
【００６４】
（Ｃ）成分：
平均粒径が下記の通りである水酸化アルミニウム及び球状酸化アルミニウム。
（Ｃ−１）平均粒径が１μｍの水酸化アルミニウム
（Ｃ−２）平均粒径が５０μｍの水酸化アルミニウム
（Ｃ−３）平均粒径が９０μｍの球状酸化アルミニウム
（Ｄ）成分：
５質量％塩化白金酸２−エチルヘキサノール溶液
【００６５】
（Ｅ）成分：（Ｅ−２）成分
下記式（７）で示される平均重合度が３０の片末端がトリメトキシシリル基で封鎖されたジメチルポリシロキサン。
【化８】
2020066713.tif 000009
【００６６】
（Ｆ）成分
可塑剤として、下記式（８）で示されるジメチルポリシロキサン。
【化９】
2020066713.tif 000010
（ｒ＝８０）
【００６７】
（Ｇ）成分：
付加反応制御剤として、エチニルメチリデンカルビノール。
【００６８】
（Ａ）、（Ｃ）、（Ｅ）、（Ｆ）成分を下記表１，２の実施例１〜８及び比較例１〜６に示す所定の量で加え、プラネタリーミキサーで６０分間混練した。
そこに（Ｄ）成分、（Ｇ）成分を下記表１，２に示す所定の量で加え、更にセパレータとの離型を促す内添離型剤を有効量加え、３０分間混練した。
そこに更に（Ｂ）成分を下記表１，２に示す所定の量で加え、３０分間混練し、実施例１〜８及び比較例１，３，４の組成物を得た。一方、比較例２，５，６では混練が困難となり、組成物を得ることができなかった。このため、比較例２，５，６については下記評価を行っていない。
【００６９】
［成形方法］
得られた組成物を６０ｍｍ×６０ｍｍ×６ｍｍの金型に流し込み、プレス成形機を用い、１２０℃，１０分間で成形した。
［評価方法］
熱伝導率：
下記実施例１〜８及び比較例１，３，４で得られた組成物を１２０℃，１０分間の条件で６ｍｍ厚のシート状に硬化させ、そのシートを２枚用いて、熱伝導率計（商品名：ＴＰＡ−５０１、京都電子工業（株）製）により該シートの熱伝導率を測定した。
硬度：
下記実施例１〜８及び比較例１，３，４で得られた組成物を上記と同様に６ｍｍ厚のシート状に硬化させ、そのシートを２枚重ねてアスカーＣ硬度計で測定した。
比重（密度）：
水中置換法を用いて測定した。
【００７０】
［実施例１〜８及び比較例１〜６］
表１及び表２に示すように、実施例１〜８及び比較例１，３，４において（Ａ）〜（Ｆ）成分を所定の量を用いて組成物を調製し硬化させ、上記評価方法に従って熱伝導率、硬度、比重を測定した。
【００７１】
【表１】
2020066713.tif 000011
【００７２】
【表２】
2020066713.tif 000012
【００７３】
比較例１のように熱伝導性充填材の総質量部が少ない場合、熱伝導率が低下してしまい、比較例２のように反対に多すぎる場合は組成物作製のための混練が困難となる。また、比較例３，４のように水酸化アルミニウムの割合が５０％を下回る割合で構成される熱伝導性充填材を使用した場合、熱伝導率は高くなるものの比重が２．４を超えてしまい軽量性が損なわれる。さらに比較例５，６のように単一の粒径で熱伝導性充填材を構成した場合、粒子が基材に充填されず組成物自体を得ることが出来ない。
【００７４】
これに対し、実施例のように、（Ａ）〜（Ｄ）成分を本発明の範囲内となる比率で配合した場合、熱伝導率２．８Ｗ／ｍ・Ｋ以上かつ比重２．４以下の高い熱伝導性と軽量性を備えた熱伝導性シリコーン硬化物を与える熱伝導性シリコーン組成物を容易に調製することができる。特に、粒径の異なる水酸化アルミニウムを巧みに組み合わせること、すなわち、平均粒径０．１μｍ以上４０μｍ未満の小粒径水酸化アルミニウムと４０μｍ以上１００μｍ以下の大粒径水酸化アルミニウムの配合比率を巧みに組み合わせることで、これを基材に高充填することが容易となる。
【００７５】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
熱伝導性シリコーン組成物であって、
（Ａ）成分として、１分子中に少なくとも２個のアルケニル基を有するオルガノポリシロキサン：１００質量部、
（Ｂ）成分として、ケイ素原子に直接結合した水素原子を少なくとも２個有するオルガノハイドロジェンポリシロキサン：ケイ素原子に直接結合した水素原子のモル数が（Ａ）成分由来のアルケニル基のモル数の０．１〜５．０倍量となる量、
（Ｃ）成分として、水酸化アルミニウムを５０質量％以上含有し、かつ、前記水酸化アルミニウムが、
（Ｃ−１）平均粒径０．１μｍ以上４０μｍ未満の水酸化アルミニウムの２５〜３５質量％、及び
（Ｃ−２）平均粒径４０μｍ以上１００μｍ以下の水酸化アルミニウムの６５〜７５質量％
で構成される混合物である熱伝導性充填材：２,８００〜４,０００質量部、
（Ｄ）成分として、白金族金属系硬化触媒：（Ａ）成分に対して白金族金属元素の質量換算で０．１〜１，０００ｐｐｍ
を含有するものであることを特徴とする熱伝導性シリコーン組成物。
【請求項２】
更に、（Ｅ）成分として、
（Ｅ−１）成分：下記一般式（１）
Ｒ１ａＲ２ｂＳｉ（ＯＲ３）４−ａ−ｂ                    （１）
（式中、Ｒ１は独立に炭素原子数６〜１５のアルキル基であり、Ｒ２は独立に非置換又は置換の炭素原子数１〜１０の１価炭化水素基であり、Ｒ３は独立に炭素原子数１〜６のアルキル基であり、ａは１〜３の整数、ｂは０〜２の整数であり、但しａ＋ｂは１〜３の整数である。）
で表されるアルコキシシラン化合物、及び
（Ｅ−２）成分：下記一般式（２）
【化１】
2020066713.tif 000015
（式中、Ｒ４は独立に炭素原子数１〜６のアルキル基であり、ｃは５〜１００の整数である。）
で表される分子鎖片末端がトリアルコキシシリル基で封鎖されたジメチルポリシロキサンのいずれか一方又は両方を（Ａ）成分１００質量部に対し１００〜３００質量部含有するものであることを特徴とする請求項１に記載の熱伝導性シリコーン組成物。
【請求項３】
更に、（Ｆ）成分として：下記一般式（３）
【化２】
2020066713.tif 000016
（式中、Ｒ５は独立に炭素原子数１〜１０の脂肪族不飽和結合を含まない１価炭化水素基、ｄは５〜２，０００の整数である。）
で表される２５℃における動粘度が１０〜１００，０００ｍｍ２／ｓのオルガノポリシロキサンを含有するものであることを特徴とする請求項１又は請求項２に記載の熱伝導性シリコーン組成物。
【請求項４】
２５℃における絶対粘度が８００Ｐａ・ｓ以下のものであることを特徴とする請求項１から請求項３のいずれか１項に記載の熱伝導性シリコーン組成物。
【請求項５】
請求項１から請求項４のいずれか１項に記載の熱伝導性シリコーン組成物の硬化物であることを特徴とする熱伝導性シリコーン硬化物。
【手続補正２】
【補正対象書類名】明細書
【補正対象項目名】００６３
【補正方法】変更
【補正の内容】
【００６３】
（Ｂ）成分：
下記式（６）で示されるハイドロジェンポリシロキサン。
【化７】
2020066713.tif 000017
（平均重合度：ｏ＝２８、ｐ＝２）